(57)【要約】【課題】  照明装置及び電子機器において、部材コストの増大を抑え、操作キーなどの複数の領域を別々の発光色で点灯可能にして、高い視認性及びイルミネーション効果を得ること。【解決手段】  ドームシート４と、該ドームシート４上に互いに間隔を空けて設置されドームシート４上を複数の反射領域５Ａ，５Ｂ，５Ｃに分けると共に導光する光を側面から出射可能な複数の線状導光体６Ａ，６Ｂと、線状導光体６Ａ，６Ｂの端部に設置され線状導光体６Ａ，６Ｂ毎に異なる色の光を入射可能な複数のＬＥＤ光源７Ａ，７Ｂと、反射領域５Ａ，５Ｂ，５Ｃの直上に透明又は半透明な複数の操作キーが配列されたキーシートと、を備えている。【選択図】図１
2010177114.tif 000002
【特許請求の範囲】
【請求項１】
シート状又は板状の面状反射体と、
該面状反射体上に互いに間隔を空けて設置され前記面状反射体上を複数の反射領域に分けると共に導光する光を側面から出射可能な複数の線状導光体と、
複数の前記線状導光体の端部に設置され前記線状導光体毎に異なる色の光を入射可能な複数の光源と、
前記反射領域の直上に透明又は半透明な複数の光透過領域が配列されたシート状又は板状の照明対象部材と、を備えていることを特徴とする照明装置。
【請求項２】
請求項１に記載の照明装置において、
前記線状導光体の側面に、導光する光を光路変換して側面から出射する光学形状部が形成されていることを特徴とする照明装置。
【請求項３】
請求項１又は２に記載の照明装置において、
前記光源が、赤色ＬＥＤ素子、緑色ＬＥＤ素子及び青色ＬＥＤ素子を備えたＲＧＢ−ＬＥＤであることを特徴とする照明装置。
【請求項４】
請求項１から３のいずれか一項に記載の照明装置において、
前記光源が、前記線状導光体の両端部に設置され端部毎に異なる色の光を入射可能であることを特徴とする照明装置。
【請求項５】
請求項１から４のいずれか一項に記載の照明装置において、
前記線状導光体が、蛍光体又は蓄光剤が含有された材料で形成されていることを特徴とする照明装置。
【請求項６】
請求項１から５のいずれか一項に記載の照明装置において、
前記照明対象部材が、前記光透過領域として複数の操作キーが配列されたキーシートであり、
前記面状反射体が、前記操作キーの直下に配された複数のスイッチング素子を有するスイッチ部であることを特徴とする照明装置。
【請求項７】
筐体と、
該筐体内に設けられ前記光透過領域が前記筐体の表面に配置されている請求項１から６のいずれか一項に記載の照明装置と、を備えていることを特徴とする電子機器。
【請求項８】
通信機能の状況又は前記操作キーの操作状況に応じて前記照明装置を制御可能な携帯電話機であることを特徴とする請求項７に記載の電子機器。
【発明の詳細な説明】
【技術分野】
【０００１】
本発明は、例えば携帯電話機の操作キー等を照明する照明装置及び電子機器に関する。
【背景技術】
【０００２】
携帯電話機、ＰＤＡ、モバイルタイプＰＣ（パーソナルコンピュータ）、ノートＰＣ、携帯型ゲーム機、携帯ミュージックプレーヤー等の電子機器には、複数の操作キーが用いられており、暗所での操作をし易くするために、例えば操作キーを裏面側から導光板を用いて光を照射して照明する操作キー用の照明装置が採用されている。
【０００３】
例えば、特許文献１には、複数の操作キーと、これら操作キーの下方に配置された複数のスイッチング素子と、操作キーとスイッチング素子との間に配され側面に配置されたＬＥＤ光源から入射した光を操作キーに向かって投射して下方から操作キーを照明する可撓性の導光板と、を備えた押ボタンスイッチの照明装置が提案されている。
【先行技術文献】
【特許文献】
【０００４】
【特許文献１】特開２００１−１６７６５５号公報
【発明の概要】
【発明が解決しようとする課題】
【０００５】
しかしながら、上記従来の技術には、以下の課題が残されている。
すなわち、従来の操作キー照明では、単に操作キーを単色光で点灯させるだけであり、例えば、操作キーを複数のキー領域に分けて別々の発光色で点灯させたいとの要望があるが、従来の照明技術では、一枚の導光板で操作キー全体を下方から照明するため、異なるキー領域を選択的に点灯させることが難しかった。また、導光板を用いずに操作キー毎にＬＥＤ光源を配置して直接照明することで、各キー領域を別々の発光色で点灯させることも可能であるが、この場合、ＬＥＤ光源の実装個数が増え、部品コストの増大を招く不都合があった。
【０００６】
本発明は、前述の課題に鑑みてなされたもので、部材コストの増大を抑え、操作キーなどの複数の領域を別々の発光色で点灯可能にして、高い視認性及びイルミネーション効果を得ることができる照明装置及び電子機器を提供することを目的とする。
【課題を解決するための手段】
【０００７】
本発明は、前記課題を解決するために以下の構成を採用した。すなわち、本発明の照明装置は、シート状又は板状の面状反射体と、該面状反射体上に互いに間隔を空けて設置され前記面状反射体上を複数の反射領域に分けると共に導光する光を側面から出射可能な複数の線状導光体と、複数の前記線状導光体の端部に設置され前記線状導光体毎に異なる色の光を入射可能な複数の光源と、前記反射領域の直上に透明又は半透明な複数の光透過領域が配列されたシート状又は板状の照明対象部材と、を備えていることを特徴とする。
【０００８】
この照明装置では、面状反射体上に互いに間隔を空けて設置され面状反射体上を複数の反射領域に分けると共に導光する光を側面から出射可能な複数の線状導光体と、複数の線状導光体の端部に設置され線状導光体毎に異なる色の光を入射可能な複数の光源と、を備えているので、各光源における発光色を制御することで、線状導光体の側面から出射される光の色を変えることができ、各反射領域において様々な色の面状光を発生させることができる。そして、反射領域の直上に透明又は半透明な複数の光透過領域が配列されたシート状又は板状の照明対象部材を備えているので、操作キーやイルミネーション部分などを光透過領域に設定することで、操作キーやイルミネーション部分を複数の領域に分けて多様な発光色で点灯させることが可能になる。また、光源を線状導光体毎に多くて２個設置すればよく、光源の実装数が少なく、部材コストの増大を抑えることができる。
【０００９】
また、本発明の照明装置は、前記線状導光体の側面に、導光する光を光路変換して側面から出射する光学形状部が形成されていることを特徴とする。
すなわち、この照明装置では、線状導光体の側面に、導光する光を光路変換して側面から出射するプリズムやドット加工部等の光学形状部が形成されているので、側面から効率的に光を出射させることができると共に光学形状部の形状や分布を光源からの距離に応じて適宜設定することで全体として輝度均一性を向上させることができる。
【００１０】
また、本発明の照明装置は、前記光源が、赤色ＬＥＤ素子、緑色ＬＥＤ素子及び青色ＬＥＤ素子を備えたＲＧＢ−ＬＥＤであることを特徴とする。
すなわち、この照明装置では、光源が、赤色ＬＥＤ素子、緑色ＬＥＤ素子及び青色ＬＥＤ素子を備えたＲＧＢ−ＬＥＤであるので、光透過領域においてあらゆる色の点灯が可能になる。
【００１１】
また、本発明の照明装置は、前記光源が、前記線状導光体の両端部に設置され端部毎に異なる色の光を入射可能であることを特徴とする。
すなわち、この照明装置では、光源が、前記線状導光体の両端部に設置され端部毎に異なる色の光を入射可能であるので、両端部の光源の発光色をそれぞれ個別に設定又は制御することで線状導光体の延在方向に沿って異なる色で反射領域を点灯させることができる。したがって、反射領域毎だけでなく線状導光体の延在方向に応じても、多様な色で光透過領域を点灯させることが可能になる。
【００１２】
また、本発明の照明装置は、前記線状導光体が、蛍光体又は蓄光剤が含有された材料で形成されていることを特徴とする。
この照明装置では、線状導光体が、蛍光体又は蓄光剤が含有された材料で形成されているので、導光した光によって蛍光体又は蓄光剤で発生する光が新たなイルミネーション効果等を生じさせる。すなわち、蛍光体を含む場合、導光した光によって蛍光体が発光することで、光源からの入射光と異なる新たなイルミネーション効果が得られる。また、蓄光剤を含む場合、光源を消灯した後も導光した光によって蓄光された蓄光剤が光ることで、ゆっくりと反射領域及び光透過領域が消灯し、低消費電力化及び新たなイルミネーション効果を得ることができる。
【００１３】
また、本発明の照明装置は、前記照明対象部材が、前記光透過領域として複数の操作キーが配列されたキーシートであり、前記面状反射体が、前記操作キーの直下に配された複数のスイッチング素子を有するスイッチ部であることを特徴とする。
すなわち、この照明装置では、照明対象部材が、光透過領域として複数の操作キーが配列されたキーシートであり、面状反射体が、操作キーの直下に配された複数のスイッチング素子を有するスイッチ部であるので、スイッチ部からの反射により高輝度な光で操作キーを点灯させることができる。
【００１４】
本発明の電子機器は、筐体と、該筐体内に設けられ前記光透過領域が前記筐体の表面に配置されている上記本発明の照明装置と、を備えていることを特徴とする。
すなわち、この電子機器では、筐体内に設けられ光透過領域が筐体の表面に配置されている上記本発明の照明装置を備えているので、筐体表面の光透過領域を複数の領域に分けて多様な発光色で点灯させることが可能になる。
【００１５】
また、本発明の電子機器は、通信機能の状況又は前記操作キーの操作状況に応じて前記照明装置を制御可能な携帯電話機であることを特徴とする。
すなわち、この電子機器は、通信機能の状況又は操作キーの操作状況に応じて照明装置を制御可能な携帯電話機であるので、通話やメール送受信等の通信機能の状況や所定の操作キーの操作状況に応じて操作キーを光らせるイルミネーション効果で通信状況やキー操作等の高い視認性を得ることができる。
【発明の効果】
【００１６】
本発明によれば、以下の効果を奏する。
すなわち、本発明に係る照明装置によれば、面状反射体上を複数の反射領域に分けると共に導光する光を側面から出射可能な複数の線状導光体と、線状導光体の端部に設置され線状導光体毎に異なる色の光を入射可能な複数の光源と、反射領域の直上に光透過領域が配列された照明対象部材と、を備えているので、少ない光源設置数で、光透過領域に設定した操作キーやイルミネーション部分などを複数の領域に分けて多様な発光色で点灯させることが可能になる。
したがって、この照明装置を備えた電子機器によれば、多様な色や輝度で光るイルミネーションの視覚的効果により、高いデザイン性や視覚的効果を省スペースかつ低コストで得ることができる。特に、通信機能の状況や操作キーの操作状況に応じて操作キーを光らせることで、視覚的に通信状況やキー操作を確認できるため、携帯電話機などに好適である。
【図面の簡単な説明】
【００１７】
【図１】本発明に係る照明装置及び電子機器の第１実施形態において、キーシートを外した照明装置を示す平面図である。
【図２】第１実施形態において、照明装置を示す平面図である。
【図３】第１実施形態において、照明装置を示す概略的な断面図である。
【図４】第１実施形態において、携帯電話機（電子機器）を示す分解斜視図である。
【図５】本発明に係る照明装置及び電子機器の第２実施形態において、キーシートを外した照明装置を示す平面図である。
【図６】第２実施形態において、照明装置を示す平面図である。
【図７】本発明に係る照明装置及び電子機器の第３実施形態において、キーシートを外した照明装置を示す平面図である。
【図８】第３実施形態において、照明装置を示す平面図である。
【図９】本発明に係る照明装置及び電子機器の第４実施形態において、発光色の切り替えを説明するため、切り替え前後のキーシートを外した照明装置を示す平面図である。
【図１０】本発明に係る照明装置及び電子機器の第５実施形態において、照明装置を背面イルミネーションに採用した場合を示す携帯電話機（電子機器）の平面図である。
【発明を実施するための形態】
【００１８】
以下、本発明に係る照明装置及び電子機器の第１実施形態を、図１から図４に基づいて説明する。なお、以下の説明に用いる各図面では、各部材を認識可能な大きさとするために縮尺を適宜変更している。
【００１９】
本実施形態における照明装置１は、図１から図４に示すように、携帯電話機である電子機器２の操作キー（光透過領域）３を照明する装置である。この照明装置１は、シート状の面状反射体であると共に操作キー３の直下に配された複数のスイッチング素子４ａを有するドームシート（スイッチ部）４と、該ドームシート４上に互いに間隔を空けて平行に設置されドームシート４上を３つの反射領域５Ａ，５Ｂ，５Ｃに分けると共に導光する光を側面から出射可能な２本の線状導光体６Ａ，６Ｂと、これら線状導光体６Ａ，６Ｂの端部に設置され線状導光体６Ａ，６Ｂ毎に異なる色の光を入射可能な複数のＬＥＤ光源（光源）７Ａ，７Ｂと、反射領域５Ａ，５Ｂ，５Ｃの直上に透明又は半透明な複数の操作キー３が配列されたキーシート（照明対象部材）８と、を備えている。
【００２０】
上記線状導光体６Ａ，６Ｂは、例えば、透光性の樹脂材料で一方向に延在して棒状に形成され、シリコーン樹脂品又はＰＣ（ポリカーボネート）やＰＭＭＡ（アクリル樹脂）等のプラスチック成型品が採用可能である。なお、本実施形態では、プラスチック成型品の線状導光体６Ａ，６Ｂを採用することで、高価なシリコーン樹脂を採用する場合よりも大幅にコストの低減を図っている。
【００２１】
また、上記線状導光体６Ａ，６Ｂは、その上下面が鏡面とされて導光性を高めていると共に、両側面には、導光する光を光路変換して側面から出射する光学形状部６ａが形成されている。この光学形状部６ａとしては、例えば所定の光反射効果、光屈折効果又は光拡散効果が得られるプリズム形状部、ドット加工部又は白色ドット印刷部などの凹凸形状が採用可能である。なお、本実施形態では、反射領域５Ａ，５Ｂ，５Ｃでの輝度均一性を考慮して、ＬＥＤ光源７Ａ，７Ｂからの距離に応じてプリズム形状の間隔や形状を変えた光学形状部６ａが採用されている。
【００２２】
上記キーシート８は、線状導光体６Ａ，６Ｂの直上が遮光領域とされていると共に、反射領域５Ａ，５Ｂ，５Ｃの直上に透明又は半透明な窓部として複数の操作キー３が形成されている。
なお、上記操作キー３は、表面に数字又はアルファベット等の文字や記号（図示略）が印字され、少なくとも一部が下方からの光が透過可能に透明又は半透明とされている。
また、これら操作キー３は、図２に示すように、３つの反射領域５Ａ，５Ｂ，５Ｃに対応して３つのキー領域９Ａ，９Ｂ，９Ｃに分けられてキートップを構成している。なお、操作キー３は、線状導光体６Ａ，６Ｂの直上には配置されず、スイッチング素子４ａの直上に直接配置されているため、良好なクリック感が得られる。
【００２３】
上記ＬＥＤ光源７Ａ，７Ｂは、赤色ＬＥＤ素子、緑色ＬＥＤ素子及び青色ＬＥＤ素子を備えたＲＧＢ−ＬＥＤである。
上記ドームシート４は、その表面が光反射効果を有しており、表面が白色や銀色とされている。なお、ドームシート４の表面は、光反射効果が高いほど良いが、上方の操作キー３を照明可能なある程度の光反射性を有していればよい。また、ドームシート４の表面を、光反射機能を有する金属板、フィルム、箔等、銀蒸着膜を設けたフィルムや、アルミ金属蒸着膜を設けたフィルム、白色シートなどで覆っても構わない。
【００２４】
次に、本実施形態の電子機器２は、図４に示すように、上部筐体１０Ａと下部筐体１０Ｂとからなる筐体内に上記照明装置１が設けられ、通信機能の状況又は操作キー３の操作状況に応じて照明装置１を制御可能な携帯電話機である。
すなわち、電子機器２は、複数配列された操作キー３を表面に配した上部筐体１０Ａと、操作キー３の下部に配された照明装置１と、液晶表示パネル１１と、該液晶表示パネル１１が設置された基板１２と、照明装置１及び基板１２を収納する下部筐体１０Ｂと、を備えている。
【００２５】
上記液晶表示パネル１１には、透過型又は半透過型の液晶表示パネルが採用される。なお、液晶表示パネル１１には、その裏面側に液晶バックライトユニット（図示略）が配設されている。
上記基板１２には、キーシート８の下に上記ドームシート４が設置されている。
【００２６】
上記スイッチング素子４ａは、例えばドームスイッチやタクトスイッチ等の押圧でスイッチング可能なものであり、直上の操作キー３が押圧された際に、同時に押されてスイッチ操作可能とされている。
なお、上記基板１２には、携帯電話機を制御するＩＣ等の電子部品（図示略）やアンテナ部材等の通信用部品（図示略）等が実装されている。
【００２７】
この電子機器２では、図示しない制御部によって通信機能の状況又は操作キー３の操作状況に応じて照明装置１を制御可能としている。すなわち、通話や電子メールの送受信時や一定の操作キー３が押されて操作された際などに各ＬＥＤ光源７Ａ，７Ｂの発光が制御されて、設定された点滅や発光色で線状導光体６Ａ，６Ｂの側面から出射されたイルミネーション光が直接又は反射領域５Ａ，５Ｂ，５Ｃで上方に反射されて操作キー３を透過し、外部に出射される。
【００２８】
この電子機器２では、例えば、通話時などの際、制御部が３つのキー領域９Ａ，９Ｂ，９Ｃを別々の色で光らせる場合、ＬＥＤ光源７Ａから赤色光を線状導光体６Ａに入射させると共にＬＥＤ光源７Ｂから青色光を線状導光体６Ｂに入射させる。このとき、線状導光体６Ａ内を導光した赤色光は、その両側面から光学形状部６ａによって出射されると共に、線状導光体６Ｂ内を導光した青色光は、その両側面から光学形状部６ａによって出射される。
【００２９】
これにより、図１における線状導光体６Ａの左側方に位置する反射領域５Ａでは、赤色光のみが直接又はドームシート４で反射してキー領域９Ａを照明し、キー領域９Ａの操作キー３が赤色光で点灯する。また、線状導光体６Ａと線状導光体６Ｂとの間に位置する反射領域５Ｂでは、赤色光と青色光との混合色（紫色光）が直接又はドームシート４で反射してキー領域９Ｂを照明し、キー領域９Ｂの操作キー３が紫色光で点灯する。さらに、図１における線状導光体６Ｂの右側方に位置する反射領域５Ｃでは、青色光のみが直接又はドームシート４で反射してキー領域９Ｃを照明し、キー領域９Ｃの操作キー３が青色光で点灯する。
【００３０】
また、待ち受け状態等の際は、制御部によって全てのＬＥＤ光源７Ａ，７Ｂから白色光を出射させることで、３つのキー領域９Ａ，９Ｂ，９Ｃの全操作キー３を同じ白色光で点灯させる。
このように、３つのキー領域９Ａ，９Ｂ，９Ｃの各操作キー３が、通話状態ではキー領域９Ａ，９Ｂ，９Ｃ毎に赤色光、紫色光、青色光の異なる発光色で点灯制御され、待ち受け状態では全て白色光で点灯制御される。
【００３１】
このように本実施形態の照明装置１では、ドームシート４上に互いに間隔を空けて設置されドームシート４上を複数の反射領域５Ａ，５Ｂ，５Ｃに分けると共に導光する光を側面から出射可能な複数の線状導光体６Ａ，６Ｂと、複数の線状導光体６Ａ，６Ｂの端部に設置され線状導光体６Ａ，６Ｂ毎に異なる色の光を入射可能な複数のＬＥＤ光源７Ａ，７Ｂと、を備えているので、各ＬＥＤ光源７Ａ，７Ｂにおける発光色を制御することで、線状導光体６Ａ，６Ｂの側面から出射される光の色を変えることができ、各反射領域５Ａ，５Ｂ，５Ｃにおいて様々な色の面状光を発生させることができる。
【００３２】
そして、反射領域５Ａ，５Ｂ，５Ｃの直上に透明又は半透明な複数の操作キー３が配列されたキーシート８を備えているので、操作キー３を複数のキー領域９Ａ，９Ｂ，９Ｃに分けて多様な発光色で点灯させることが可能になる。また、ＬＥＤ光源７Ａ，７Ｂを線状導光体６Ａ，６Ｂ毎に１個設置すればよく、ＬＥＤ光源７Ａ，７Ｂの実装数が少なく、部材コストの増大を抑えることができる。
【００３３】
また、線状導光体６Ａ，６Ｂの側面に、導光する光を光路変換して側面から出射するプリズムやドット加工部等の光学形状部６ａが形成されているので、側面から効率的に光を出射させることができると共に光学形状部６ａの形状や分布を光源からの距離に応じて適宜設定することで全体として輝度均一性を向上させることができる。
さらに、ＬＥＤ光源７Ａ，７Ｂが、赤色ＬＥＤ素子、緑色ＬＥＤ素子及び青色ＬＥＤ素子を備えたＲＧＢ−ＬＥＤであるので、操作キー３においてあらゆる色の点灯が可能になる。
【００３４】
また、ドームシート４自体が面状反射体として機能するため、ドームシート４からの反射により高輝度な光で操作キー３を点灯させることができる。
したがって、この照明装置１を操作キー照明用に採用した携帯電話機の電子機器２では、キー領域９Ａ，９Ｂ，９Ｃ毎に多様な発光色で操作キー３を点灯させることができる。特に、通信機能の状況又は操作キー３の操作状況に応じて照明装置１を制御可能な携帯電話機とすることで、通話やメール送受信等の通信機能の状況や所定の操作キー３の操作状況に応じて操作キー３を光らせるイルミネーション効果で通信状況やキー操作等の高い視認性を得ることができる。
【００３５】
次に、本発明に係る照明装置及び電子機器の第２から第５実施形態について、図５から図１０を参照して以下に説明する。なお、以下の各実施形態の説明において、上記実施形態において説明した同一の構成要素には同一の符号を付し、その説明は省略する。
【００３６】
第２実施形態と第１実施形態との異なる点は、第１実施形態では、線状導光体６Ａ，６Ｂの一端部にＬＥＤ光源７Ａ，７Ｂが設置されているのに対し、第２実施形態の照明装置２１では、図５及び図６に示すように、ＬＥＤ光源７Ａ〜７Ｄが、線状導光体２６Ａ，２６Ｂの両端部に設置され端部毎に異なる色の光を入射可能とされている点である。
すなわち、線状導光体６Ａの両端部にＬＥＤ光源７Ａ，７Ｃが設置され、線状導光体２６Ｂの両端部にＬＥＤ光源７Ｂ，７Ｄが設置されている。
【００３７】
第２実施形態では、例えば、図５に示すように、ＬＥＤ光源７Ａ，７Ｄから赤色光を入射させ、ＬＥＤ光源７Ｂ，７Ｃから青色光を入射させると、反射領域５ＡのＬＥＤ光源７Ａ側（反射領域５Ａ−ａ）は赤色光に、ＬＥＤ光源７Ｃ側（反射領域５Ａ−ｃ）は青色光に、中間部分（反射領域５Ａ−ｂ）は赤色光と青色光との混合色（紫色光）に点灯する。すなわち、反射領域５Ａは、延在方向にさらに３つの領域（反射領域５Ａ−ａ，５Ａ−ｂ、５Ａ−ｃ）に分けて異なる色で点灯し、これら領域に対応した直上の操作キー３も異なる色で照明されて点灯する。
【００３８】
また、反射領域５Ｂは線状導光体２６Ａと線状導光体２６Ｂとの両方から出射された光が混色されるため、ＬＥＤ光源７Ａ〜７Ｄの赤色光及び青色光が混色して全体が紫色光に点灯する。すなわち、反射領域５Ｂは、第１実施形態と同様に対応した直上の操作キー３が紫色光単色で照明されて点灯する。
【００３９】
さらに、反射領域５ＣのＬＥＤ光源７Ｂ側（反射領域５Ｃ−ａ）は青色光に、ＬＥＤ光源７Ｄ側（反射領域５Ｃ−ｃ）は赤色光に、中間部分（反射領域５Ｃ−ｂ）は赤色光と青色光との混合色（紫色光）に点灯する。すなわち、反射領域５Ｃは、延在方向にさらに３つの領域（反射領域５Ｃ−ａ，５Ｃ−ｂ、５Ｃ−ｃ）に分けて異なる色で点灯し、これら領域に対応した直上の操作キー３も異なる色で照明されて点灯する。
【００４０】
このように、反射領域Ａ及び反射領域Ｃがそれぞれ３つの領域に分かれて異なる発光色で点灯することから、反射領域Ｂを加えて全体で７つの領域で異なる発光色で対応する操作キー３を点灯させることが可能である。なお、ＬＥＤ光源７Ａ〜７Ｄの発光色を変更することで、反射領域５Ｂも反射領域５Ａ，５Ｃと同様に延在方向にさらに３つの領域に分けて異なる色で点灯させることが可能である。
【００４１】
したがって、第２実施形態の照明装置２１では、ＬＥＤ光源７Ａ〜７Ｄが、線状導光体２６Ａ，２６Ｂの両端部に設置され端部毎に異なる色の光を入射可能であるので、両端部のＬＥＤ光源７Ａ〜７Ｄの発光色をそれぞれ個別に制御することで、線状導光体２６Ａ，２６Ｂの延在方向に沿って異なる色で反射領域５Ａ，５Ｂ，５Ｃをそれぞれ３つの領域に分けて点灯させることができる。したがって、反射領域５Ａ，５Ｂ，５Ｃ毎だけでなく線状導光体２６Ａ，２６Ｂの延在方向に応じても、多様な色で操作キー３を点灯させることが可能になる。
【００４２】
次に、第３実施形態と第１実施形態との異なる点は、第１実施形態では、２本の線状導光体６Ａ，６Ｂが設置されているのに対し、第３実施形態の照明装置３１では、図７及び図８に示すように、ドームシート４上に４本の線状導光体３６Ａ〜３６Ｄが互いに間隔を空けて平行して設置されている点である。
すなわち、第３実施形態では、ドームシート４の両側部にもそれぞれ線状導光体３６Ａ，３６Ｄを設置し、それらの端部にもＬＥＤ光源７Ａ，７Ｄが設置されている。なお、ドームシート４の両側部に配置された線状導光体３６Ａ，３６Ｄは、内側の側面のみに光学形状部６ａが形成されている。
【００４３】
この第３実施形態では、例えば、制御部が３つのキー領域９Ａ，９Ｂ，９Ｃを別々の色で光らせる場合、ＬＥＤ光源７Ａから赤色光を線状導光体３６Ａに入射させると共にＬＥＤ光源７Ｂから緑色光を線状導光体３６Ｂに入射させる。また、ＬＥＤ光源７Ｃから青色光を線状導光体３６Ｃに入射させると共にＬＥＤ光源７Ｄから緑色光を線状導光体３６Ｄに入射させる。
【００４４】
これにより、線状導光体３６Ａと線状導光体３６Ｂと間に位置する反射領域５Ａでは、赤色光と緑色光との混色光が直接又はドームシート４で反射してキー領域９Ａを照明し、キー領域９Ａの操作キー３が当該混色光で点灯する。なお、操作キー３が線状導光体３６Ｂの近くまで幅広に形成されていると、操作キー３の線状導光体３６Ａ側は、赤色光が強い混色光となり、操作キー３の線状導光体３６Ｂ側は、緑色光が強い混色光となる。
【００４５】
また、線状導光体３６Ｂと線状導光体３６Ｃと間に位置する反射領域５Ｂでは、緑色光と青色光との混色光が直接又はドームシート４で反射してキー領域９Ｂを照明し、キー領域９Ｂの操作キー３が当該混色光で点灯する。さらに、線状導光体３６Ｃと線状導光体３６Ｄと間に位置する反射領域５Ｃでは、青色光と赤色光との混色光が直接又はドームシート４で反射してキー領域９Ｃを照明し、キー領域９Ｃの操作キー３が当該混色光で点灯する。
【００４６】
このように第３実施形態では、両側の反射領域５Ａ，５Ｃも反射領域５Ｂと同様に、両側の線状導光体３６Ａ，３６Ｂ及び線状導光体３６Ｂ，３６Ｃからの混合光で対応するキー領域９Ａ，９Ｃを多様な発光色で照明することができ、対応するキー領域９Ａ，９Ｃの操作キー３をさらに様々な色で点灯可能になる。
【００４７】
次に、第４実施形態と第３実施形態との異なる点は、第３実施形態では、４つの線状導光体３６Ａ〜３６Ｄの一端部にＬＥＤ光源７Ａ〜７Ｄが設置されているのに対し、第４実施形態の照明装置４１では、図９に示すように、ＬＥＤ光源７Ａ〜７Ｈが、４つの線状導光体４６Ａ〜４６Ｄの両端部にそれぞれ設置され端部毎に異なる色の光を入射可能とされている点である。
すなわち、線状導光体４６Ａの両端部にＬＥＤ光源７Ａ，７Ｅが設置され、線状導光体４６Ｂの両端部にＬＥＤ光源７Ｂ，７Ｆが設置されている。また、線状導光体４６Ｃの両端部にＬＥＤ光源７Ｃ，７Ｇが設置され、線状導光体４６Ｄの両端部にＬＥＤ光源７Ｄ，７Ｈが設置されている。
【００４８】
この第４実施形態の照明装置４１では、各ＬＥＤ光源７Ａ〜７Ｈの発光色を切り替えて様々イルミネーション効果を得られるが、各ＬＥＤ光源７Ａ〜７Ｈの発光タイミングを切り替えて時間的に変化するイルミネーション効果も得ることができる。
例えば、図９の（ａ）に示すように、まずＬＥＤ光源７Ａを赤色光（Ｒ）、ＬＥＤ光源７Ｂを緑色光（Ｇ）、ＬＥＤ光源７Ｃを青色光（Ｂ）、ＬＥＤ光源７Ｄを赤色光（Ｒ）で点灯させると共に、ＬＥＤ光源７Ｅを緑色光（Ｇ）、ＬＥＤ光源７Ｆを青色光（Ｂ）、ＬＥＤ光源７Ｇを赤色光（Ｒ）、ＬＥＤ光源７Ｈを緑色光（Ｇ）で点灯させる。
【００４９】
次に、図９の（ｂ）に示すように、ＬＥＤ光源７Ｅを赤色光（Ｒ）、ＬＥＤ光源７Ｆを緑色光（Ｇ）、ＬＥＤ光源７Ｇを青色光（青）、ＬＥＤ光源７Ｈを赤色光（Ｒ）に、順次変更して点灯させることで、反射領域５Ａ，５Ｂ，５Ｃにおける混合色による発光色が順次変化し、対応するキー領域９Ａ，９Ｂ，９Ｃの操作キー３の発光色が時間と共に変化するイルミネーション効果を得ることができる。
【００５０】
次に、第５実施形態と第１実施形態との異なる点は、第１実施形態の照明装置１が携帯電話機である電子機器２の操作キー３を照明するものであるのに対し、第５実施形態の照明装置５１は、図１０に示すように、携帯電話機である電子機器５２の背面イルミネーションに用いられるイルミネーション部（照明対象部材）５４を内部から照明するものである点である。
【００５１】
すなわち、第５実施形態の電子機器５２は、折り畳み可能な筐体５０を有する携帯電話機であって、筐体５０の背面に照明装置１がディスプレイ装置として内蔵されている。
この照明装置５１では、ドームシート４の代わりに光反射機能を有するシート状又は板状の面状反射体（図示略）と、キーシート８の代わりに反射領域５５Ａ，５５Ｂ，５５Ｃの直上に透明又は半透明な複数の光透過領域５３が配列されたシート状又は板状のイルミネーション部（照明対象部材）５４と、を備えている。
【００５２】
上記イルミネーション部５４は、筐体５０の背面に設けられ、例えば星形、円形及びハート形等の種々の形状や絵柄の光透過領域５３が配列されている。
この電子機器５２では、照明装置５１により、反射領域５５Ａ，５５Ｂ，５５Ｃに対応した直上の光透過領域５３の形状や絵柄を多様な発光色で筐体５０の背面に浮かび上がらせることができる。
【００５３】
このように、第５実施形態の照明装置５１では、面状反射体上に互いに間隔を空けて設置され面状反射体上を３つの反射領域５５Ａ，５５Ｂ，５５Ｃに分けると共に導光する光を側面から出射可能な２本の線状導光体６Ａ，６Ｂと、２本の線状導光体６Ａ，６Ｂの端部に設置され線状導光体６Ａ，６Ｂ毎に異なる色の光を入射可能な２つのＬＥＤ光源７Ａ，７Ｂと、を備えているので、各ＬＥＤ光源７Ａ，７Ｂにおける発光色を制御することで、光透過領域５３を複数の反射領域５５Ａ，５５Ｂ，５５Ｃに分けて多様な発光色で点灯させ、多様なイルミネーション照明によるディスプレイが可能になる。
【００５４】
なお、本発明は上記各実施形態に限定されるものではなく、本発明の趣旨を逸脱しない範囲において種々の変更を加えることができる。
【００５５】
例えば、上記各実施形態では、光源としてＲＧＢ−ＬＥＤを採用しているが、多様な発光色による点灯切り替えが不要であれば、互いに異なる単色光を発光するＬＥＤ光源を採用しても構わない。例えば、第１実施形態では、一方のＬＥＤ光源を赤色ＬＥＤとし、他方のＬＥＤ光源を青色ＬＥＤとしても良い。
【００５６】
また、上記各実施形態では、線状導光体をＰＣやＰＭＭＡ等で形成しているが、線状導光体を蛍光体又は蓄光剤が含有された材料で形成しても構わない。
この場合、線状導光体が、蛍光体又は蓄光剤が含有された材料で形成されているので、導光した光によって蛍光体又は蓄光剤で発生する光が新たなイルミネーション効果等を生じさせる。すなわち、蛍光体を含む場合、導光した光によって蛍光体が発光することで、光源からの入射光と異なる新たなイルミネーション効果が得られる。また、蓄光剤を含む場合、光源を消灯した後も導光した光によって蓄光された蓄光剤が光ることで、ゆっくりと反射領域及び光透過領域が消灯し、低消費電力化及び新たなイルミネーション効果を得ることができる。
【００５７】
また、本発明の照明装置を電子機器として携帯電話機に搭載したが、ＰＤＡ、モバイルタイプＰＣ、ノートＰＣ、携帯型ゲーム機、携帯ミュージックプレーヤー、電子辞書、デジタルカメラ等の他の電子機器に採用しても構わない。さらに、本発明の照明装置を、壁掛けディスプレイや看板等に搭載しても構わない。
【符号の説明】
【００５８】
１，２１，３１，４１，５１…照明装置、２，５２…電子機器、３…操作キー（光透過領域）、４…ドームシート（面状反射体、スイッチ部）、４ａ…スイッチング素子、５Ａ，５Ｂ，５Ｃ，５５Ａ，５５Ｂ，５５Ｃ…反射領域、６Ａ，６Ｂ、３６Ａ〜３６Ｄ，４６Ａ〜４６Ｄ…線状導光体、６ａ…光学形状部、７Ａ〜７Ｈ…ＬＥＤ光源（光源）、８…キーシート（照明対象部材）、１０Ａ…上部筐体、１０Ｂ…下部筐体、１１…液晶表示パネル、５０…筐体、５３…光透過領域、５４…イルミネーション部（照明対象部材）
【図１】
2010177114.tif 000003
【図２】
2010177114.tif 000004
【図３】
2010177114.tif 000005
【図４】
2010177114.tif 000006
【図５】
2010177114.tif 000007
【図６】
2010177114.tif 000008
【図７】
2010177114.tif 000009
【図８】
2010177114.tif 000010
【図９】
2010177114.tif 000011
【図１０】
2010177114.tif 000012